(57)【要約】  スノーボードビンディングのような滑走ボードビンディングを提供するための方法及び装置。このビンディングは、基部が滑走ボードに固定された場合、滑走ボードに対する基部の縦方向の位置、滑走ボードに対する基部の踵−つま先方向の位置及び／又は滑走ボードに対する基部の角度位置を決定することができる調整インジケータを含むことができる。調整インジケータは、例えば、ビンディング及びボードにライダーの足を固定するための足係合部材を含む、ビンディング基部から取り外すことができるフットベッドと一緒に内蔵することができる。着脱可能なフットベッドは、フットベッドの踵部分に対して正しい位置に調整することができるつま先部分を含むことができる。滑走ボードは、ボードコアの一部がチャネルの頂面又は底面上に位置しないで、頂部及び底部補強層がチャネルの上下に位置するように、ボードコア内に配置されているビンディングを装着するためのチャネルを含むことができる。【選択図】  図９
2009542350.tif 000002
【特許請求の範囲】
【請求項１】
滑走ボードと一緒に使用するためのビンディングであって、
ライダーの足を支持するように構成配置されているフットベッドと、
滑走ボードに固定され、前記フットベッド部分と解放可能に係合するように構成配置され、前記フットベッドを備えていない前記滑走ボードに固定した場合、ライダーの足が前記滑走ボードに直接接触することができるように構成配置されている基部と、
前記基部に固定され、前記基部に対して前記ライダーの足を固定するように構成配置されている少なくとも１つの足係合部材と、
前記基部に固定され、ライダーの脚部を支持するように構成配置されているハイバックとを備え、
前記フットベッドが、前記基部が前記滑走ボードに固定された場合に、滑走ボードに対する前記基部の縦方向の位置、滑走ボードに対する前記基部の踵−つま先方向の位置、及び／又は滑走ボードに対する前記基部の角度位置を決定することができる調整インジケータを含むビンディング。
【請求項２】
前記基部が、踵−つま先方向に延びる１対の対向側壁部、及び前記側壁部の踵の端部を接続する踵フープを含む、請求項１に記載のビンディング。
【請求項３】
前記基部が、前記側壁部間を延びるクロスバーをさらに含み、前記フットベッドが、前記クロスバーに固定されるように配置される、請求項２に記載のビンディング。
【請求項４】
前記少なくとも１つの足係合部材が、バックル部分と係合することができ、バックル部分から選択的に切り離すことができる係合部分を有するビンディングストラップを含み、前記側壁部が、それぞれ前記係合部分又は前記バックル部分の端部と係合することができる、請求項２に記載のビンディング。
【請求項５】
前記フットベッドが、踵部分及びつま先部分を含み、前記つま先部分が、前記踵部分に対して踵−つま先方向に移動することができる、請求項１に記載のビンディング。
【請求項６】
前記フットベッドの前記踵部分が前記基部と係合することができ、そのため、前記踵部分が、前記基部に対して固定状態に維持され、前記つま先部分が、前記基部に対して前記踵部分を固定状態に維持したまま、前記踵部分に対して前記踵−つま先方向に移動することができる、請求項５に記載のビンディング。
【請求項７】
前記踵部分が、前記基部と係合することができる１対のラグを含む、請求項５に記載のビンディング。
【請求項８】
前記基部が、踵−つま先方向に延びる１対の対向側壁部、前記側壁部の踵の端部を接続する踵フープを含み、前記ラグを前記側壁部の底部内に形成されているスロット内に挿入することができる、請求項７に記載のビンディング。
【請求項９】
前記基部を滑走ボードに固定した場合に、前記ラグが、前記側壁部と係合状態で捕捉される、請求項７に記載のビンディング。
【請求項１０】
前記フットベッドが、前記フットベッドのつま先側端部のところに傾斜部分を含む、請求項１に記載のビンディング。
【請求項１１】
前記ビンディングが前記滑走ボードに装着された場合に、前記滑走ボードの一部を見ることができる、前記フットベッドに取り付けられている第１の窓を含む第１の調整インジケータを備える、請求項１に記載のビンディング。
【請求項１２】
前記第１の調整インジケータが、前記第１の窓内で見た前記滑走ボード上のマークと位置合わせ可能なポインタ要素を含む、請求項１に記載のビンディング。
【請求項１３】
前記滑走ボードに対して前記基部及びフットベッドが移動した場合に、前記滑走ボードに対して固定状態のままでいることができる、前記ビンディングに取り付けられているインジケータ要素を備える、請求項１に記載のビンディング。
【請求項１４】
前記インジケータ要素が、前記フットベッドの底部から垂れ下がっていて、前記滑走ボードと係合することができる部分を含む、請求項１３に記載のビンディング。
【請求項１５】
前記垂れ下がっている部分が、前記滑走ボード内の縦方向のスロットと係合することができる、請求項１４に記載のビンディング。
【請求項１６】
前記インジケータ要素が、前記フットベッド内の凹部内で移動するように配置される、請求項１３に記載のビンディング。
【請求項１７】
前記インジケータ要素が、踵−つま先方向の前記滑走ボードに対する前記フットベッド及び基部の位置を示す少なくとも１つのマークを含む、請求項１３に記載のビンディング。
【請求項１８】
前記フットベッドが、前記インジケータ要素上の前記少なくとも１つの踵−つま先方向のマークを見ることができるように配置されている第２の窓を含む、請求項１７に記載のビンディング。
【請求項１９】
前記インジケータ要素が、前記滑走ボードに対する前記フットベッド及び基部の角度位置を示す少なくとも１つのマークを含む、請求項１３に記載のビンディング。
【請求項２０】
前記フットベッドが、前記インジケータ要素上の前記少なくとも１つの角度位置マークを見ることができるように配置されている第３の窓を含む、請求項１９に記載のビンディング。
【請求項２１】
前記調整インジケータが、滑走ボードに前記基部を固定した場合に、滑走ボードに対する前記基部の縦方向の位置、前記滑走ボードに対する前記基部の踵−つま先方向の位置、又は前記滑走ボードに対する前記基部の角度位置のうちの任意の２つを決定することができる、請求項１に記載のビンディング。
【請求項２２】
前記調整インジケータが、滑走ボードに前記基部を固定した場合に、滑走ボードに対する前記基部の縦方向の位置、前記滑走ボードに対する前記基部の踵−つま先方向の位置、及び前記滑走ボードに対する前記基部の角度位置を決定することができる、請求項１に記載のビンディング。
【請求項２３】
滑走ボードと一緒に使用するためのビンディングであって、
ライダーの足を支持するように構成配置されているフットベッドと、
滑走ボードに固定され、前記フットベッドと係合するように構成配置されている基部と、
前記基部に固定され、前記基部に対して前記ライダーの足を固定するように構成配置されている少なくとも１つの足係合部材と、
前記基部に固定され、ライダーの脚部を支持するように構成配置されているハイバックとを備え、
前記ビンディングが、前記滑走ボードに前記ビンディングを装着するために使用する任意の押さえディスクから離間していて、少なくとも踵−つま先方向及び角度方向において前記滑走ボードに対して固定状態のままでいられるように前記滑走ボードと係合することができるインジケータ要素を含み、前記フットベッド及び前記基部が、踵−つま先方向及び角度方向に前記インジケータ要素とは独立して移動することができ、前記インジケータ要素が、前記滑走ボードに対する前記基部及びフットベッドの移動に基づいて、前記滑走ボードに対する前記フットベッド及び基部の踵−つま先方向位置及び／又は角度位置を表示するビンディング。
【請求項２４】
前記基部が、踵−つま先方向に延びる１対の対向側壁部、及び前記側壁部の踵の端部を接続する踵フープを含む、請求項２３に記載のビンディング。
【請求項２５】
前記基部が、前記側壁部間を延びるクロスバーをさらに含み、前記フットベッドが、前記クロスバーに固定されるように配置される、請求項２４に記載のビンディング。
【請求項２６】
前記少なくとも１つの足係合部材が、バックル部分と係合することができ、バックル部分から選択的に切り離すことができる係合部分を有するビンディングストラップを含み、前記側壁部が、それぞれ前記係合部分又は前記バックル部分の端部と係合することができる、請求項２４に記載のビンディング。
【請求項２７】
前記フットベッドが、踵部分及びつま先部分を含み、前記つま先部分が、前記踵部分に対して踵−つま先方向に移動することができる、請求項２３に記載のビンディング。
【請求項２８】
前記インジケータ要素が、前記フットベッドに取り付けられ、前記フットベッドの底部から垂れ下がっている部分を含み、前記滑走ボードと係合することができる、請求項２３に記載のビンディング。
【請求項２９】
前記垂れ下がっている部分が、前記滑走ボード内の縦方向のスロットと係合することができる、請求項２８に記載のビンディング。
【請求項３０】
前記インジケータ要素が、前記フットベッド内の凹部内で移動するように配置される、請求項２３に記載のビンディング。
【請求項３１】
前記インジケータ要素が、踵−つま先方向の前記滑走ボードに対する前記フットベッド及び基部の位置を示す少なくとも１つのマークを含む、請求項２３に記載のビンディング。
【請求項３２】
前記フットベッドが、前記インジケータ要素上の前記少なくとも１つの踵−つま先方向のマークを見ることができるように配置されている第２の窓を含む、請求項３１に記載のビンディング。
【請求項３３】
前記インジケータ要素が、前記滑走ボードに対する前記フットベッド及び基部の角度位置を示す少なくとも１つのマークを含む、請求項２３に記載のビンディング。
【請求項３４】
前記フットベッドが、前記インジケータ要素上の前記少なくとも１つの角度位置マークを見ることができるように配置されている第３の窓を含む、請求項３３に記載のビンディング。
【請求項３５】
滑走ボードにスノーボードビンディングを装着するための方法であって、
基部に着脱可能に装着することができるフットベッドを有するスノーボードビンディングを提供するステップであって、滑走ボードに固定された場合に、前記フットベッドが、前記ビンディングの縦方向の位置、踵−つま先方向の位置、及び／又は角度位置を決定するための調整インジケータを含むステップと、
滑走ボードを提供するステップと、
前記基部を前記滑走ボードに固定するステップと、
前記調整インジケータにより前記スノーボードビンディングの位置を決定するステップと、
を含む方法。
【請求項３６】
位置を決定する前記ステップが、前記滑走ボードに対する前記ビンディングの縦方向の位置を決定するステップを含む、請求項３５に記載の方法。
【請求項３７】
位置を決定する前記ステップが、前記滑走ボードに対する前記ビンディングの踵−つま先方向の位置を決定するステップを含む、請求項３５に記載の方法。
【請求項３８】
位置を決定する前記ステップが、前記滑走ボードに対する前記ビンディングの角度位置を決定するステップを含む、請求項３５に記載の方法。
【請求項３９】
位置を決定する前記ステップが、
前記滑走ボードに対する前記ビンディングの縦方向の位置を決定するステップ、前記滑走ボードに対する前記ビンディングの踵−つま先方向の位置を決定するステップ、及び前記滑走ボードに対する前記ビンディングの角度位置を決定するステップのうちの任意の２つのステップを含む、請求項３５に記載の方法。
【請求項４０】
位置を決定する前記ステップが、
前記滑走ボードに対する前記ビンディングの縦方向の位置を決定するステップと、前記滑走ボードに対する前記ビンディングの踵−つま先方向の位置を決定するステップと、前記滑走ボードに対する前記ビンディングの角度位置を決定するステップとを含む、請求項３５に記載の方法。
【請求項４１】
滑走ボードビンディングと一緒に使用するためのフットベッドであって、
滑走ボードに対するビンディング内に固定された場合に、ライダーの足の踵部分を支持するように構成配置されている踵部分と、
前記滑走ボードに対するビンディング内に固定された場合に、ライダーの足のつま先部分を支持するように構成配置されているつま先部分と、
滑走ボードに固定された場合に、前記フットベッド及び前記ビンディングの縦方向の位置、踵−つま先方向の位置、及び／又は角度位置を決定することができる調整インジケータとを備え、
前記フットベッドが、前記滑走ボードビンディングと解放可能に係合するように構成配置されるフットベッド。
【請求項４２】
前記調整インジケータが、前記滑走ボードに対する前記ビンディングの縦方向の位置を決定することができる、請求項４１に記載のフットベッド。
【請求項４３】
前記調整インジケータが、前記滑走ボードに対する前記ビンディングの踵−つま先方向の位置を決定することができる、請求項４１に記載のフットベッド。
【請求項４４】
前記調整インジケータが、前記滑走ボードに対する前記ビンディングの角度位置を決定することができる、請求項４１に記載のフットベッド。
【請求項４５】
前記調整インジケータが、
前記滑走ボードに対する前記ビンディングの縦方向の位置の決定、前記滑走ボードに対する前記ビンディングの踵−つま先方向の位置の決定、及び前記滑走ボードに対する前記ビンディングの角度位置の決定のうちの任意の２つを行うことができる、請求項４１に記載のフットベッド。
【請求項４６】
前記調整インジケータが、前記滑走ボードに対する前記ビンディングの縦方向の位置の決定と、前記滑走ボードに対する前記ビンディングの踵−つま先方向の位置の決定と、前記滑走ボードに対する前記ビンディングの角度位置の決定とを行うことができる、請求項４１に記載のフットベッド。
【請求項４７】
前記滑走ボードビンディングが、側壁部、踵フープ、ハイバック及び前記ビンディングに対してライダーの足を固定するように構成配置されている少なくとも１つの足係合部材を含むスノーボードビンディングである、請求項４１に記載のフットベッド。
【請求項４８】
前記調整インジケータが、前記滑走ボードに前記ビンディングを装着するために使用する任意の押さえディスクから離間していて、少なくとも踵−つま先方向及び角度方向に前記滑走ボードに対して固定状態に維持されるように前記滑走ボードと係合することができるインジケータ要素を含む、請求項４１に記載のフットベッド。
【請求項４９】
前記インジケータ要素が、前記フットベッド内の凹部内を移動するように配置される、請求項４８に記載のフットベッド。
【請求項５０】
前記フットベッドに対する前記インジケータ要素の位置を見ることができる少なくとも１つの窓をさらに備える、請求項４９に記載のフットベッド。
【請求項５１】
滑走ボードと一緒に使用するためのビンディングであって、
ライダーの足、一緒に取り付けられる踵部分及びつま先部分を含むフットベッド部分を支持するように構成配置されているフットベッドと、
滑走ボードに固定され、前記フットベッドと一緒に動作するように、構成配置され、前記フットベッドを含んでいない前記滑走ボードに固定された場合、ライダーの足が前記滑走ボードに直接接触することができるように構成配置されている基部と、
前記基部に固定され、前記基部に対して前記ライダーの足を固定するように構成配置されている少なくとも１つの足係合部材と、
前記基部に固定され、ライダーの脚部を支持するように構成配置されているハイバックとを備え、
前記つま先部分が、前記踵部分に対して正しい位置に調整することができ、前記フットベッドを前記基部から取り外すことができるビンディング。
【請求項５２】
前記基部が、踵−つま先方向に延びる１対の対向側壁部、及び前記側壁部の踵の端部を接続する踵フープを含む、請求項５１に記載のビンディング。
【請求項５３】
前記基部が、前記側壁部間を延びるクロスバーをさらに含み、前記フットベッドが、前記クロスバーに固定されるように配置される、請求項５２に記載のビンディング。
【請求項５４】
前記少なくとも１つの足係合部材が、バックル部分と係合することができ、バックル部分から選択的に切り離すことができる係合部分を有するビンディングストラップを含み、前記側壁部が、前記係合部分及び／又は前記バックル部分の端部と係合することができる、請求項５２に記載のビンディング。
【請求項５５】
前記つま先部分が、前記踵部分に対して踵−つま先方向に移動することができる、請求項５１に記載のビンディング。
【請求項５６】
前記フットベッドの前記踵部分が、前記基部と係合することができ、そのため、前記踵部分が、前記基部に対して固定状態に維持され、前記つま先部分が、前記基部に対して前記踵部分を固定状態に維持したまま、前記踵部分に対して前記踵−つま先方向に移動することができる、請求項５５に記載のビンディング。
【請求項５７】
前記踵部分が、前記基部と係合することができる１対のラグを含む、請求項５６に記載のビンディング。
【請求項５８】
前記基部が、踵−つま先方向に延びる１対の対向側壁部、前記側壁部の踵の端部を接続する踵フープを含み、前記ラグを前記側壁部の底部内に形成されているスロット内に挿入することができる、請求項５７に記載のビンディング。
【請求項５９】
前記基部を滑走ボードに固定した場合に、前記ラグが、前記側壁部と係合状態で捕捉される、請求項５７に記載のビンディング。
【請求項６０】
前記フットベッドが、前記基部が滑走ボードに固定された場合に、前記滑走ボードに対する前記基部の縦方向の位置、前記滑走ボードに対する前記基部の踵−つま先方向の位置、及び／又は前記滑走ボードに対する前記基部の角度位置を決定することができる調整インジケータを含む、請求項５１に記載のビンディング。
【請求項６１】
前記滑走ボードに対して前記基部及びフットベッドが移動した場合に、前記滑走ボードに対して固定状態のままでいることができる、前記フットベッドに取り付けられているインジケータ要素を備える、請求項５１に記載のビンディング。
【請求項６２】
前記インジケータ要素が、前記フットベッドの底部から垂れ下がっていて、前記滑走ボードと係合することができる部分を含む、請求項６１に記載のビンディング。
【請求項６３】
前記ビンディングが前記滑走ボードに装着された場合に、前記滑走ボードの一部を見ることができる、前記フットベッドに取り付けられている第１の窓を含む第１の調整インジケータを備える、請求項５１に記載のビンディング。
【請求項６４】
前記第１の調整インジケータが、前記第１の窓内で見た前記滑走ボード上のマークと位置合わせ可能なポインタ要素を含む、請求項６３に記載のビンディング。
【請求項６５】
前記インジケータ要素が、前記フットベッドの凹部内で移動するように配置される、請求項６１に記載のビンディング。
【請求項６６】
前記インジケータ要素が、踵−つま先方向の前記滑走ボードに対する前記フットベッド及び基部の位置を示す少なくとも１つのマークを含む、請求項６５に記載のビンディング。
【請求項６７】
前記フットベッドが、前記インジケータ要素上の前記少なくとも１つの踵−つま先方向のマークを見ることができるように配置されている第２の窓を含む、請求項６６に記載のビンディング。
【請求項６８】
前記インジケータ要素が、前記滑走ボードに対する前記フットベッド及び基部の角度位置を示す少なくとも１つのマークを含む、請求項６１に記載のビンディング。
【請求項６９】
前記フットベッドが、前記インジケータ要素上の前記少なくとも１つの角度位置マークを見ることができるように配置されている第３の窓を含む、請求項６８に記載のビンディング。
【請求項７０】
スノーボードであって、
頂部補強層と、
底部補強層と、
前記頂部補強層と底部補強層との間に位置するコアと、
前記スノーボードにビンディングを装着するための締結具を収容するように構成配置され、前記コアの一部がチャネルの上又は下に位置しないように前記コア内の開口部内に固定されているチャネルとを備え、前記頂部補強層が前記チャネルの上に位置し、前記底部補強層が前記チャネルの下に位置するスノーボード。
【請求項７１】
前記チャネルが、前記チャネルを前記コアと係合する機械的締結具を使用しないで固定される、請求項７０に記載のスノーボード。
【請求項７２】
前記チャネルが、金属からできている、請求項７０に記載のスノーボード。
【請求項７３】
前記コアが、木材を含む、請求項７０に記載のスノーボード。
【請求項７４】
前記頂部及び底部補強層が、樹脂及びファイバストランドを含む、請求項７０に記載のスノーボード。
【発明の詳細な説明】
【技術分野】
【０００１】
本発明は、滑走ボードビンディングに関する。
【背景技術】
【０００２】
本出願は、その全文を参照により本明細書に組み込むものとする、２００６年７月７日付けの米国仮特許出願第６０／８１９，１３１号の利益を請求する。
【０００３】
ビンディングは、ライダーの足を、スノーボード、ウェイクボード、水上スキー、雪上スキー等のような滑走ボードに固定するために広く使用されている。このような１つのタイプのビンディングとしては、ライダーの足を直接滑走ボード面上に置き、足の一部を取り巻いているビンディングにより正しい位置に固定することができる、いわゆる「ベースレス」ビンディング等がある。
【０００４】
例えば、米国特許第６，６４１，１６３号は、インターフェイス要素が、ライダーのブーツの靴底と滑走ボードの頂面の間に位置するベースレスビンディング装置を開示している。インターフェイス要素は、ライダーのブーツの靴底のインプリントと突き合わせることができ、ビンディングに対してブーツを正しい位置に正確に固定することができる熱成形可能な材料からできている少なくとも１つのゾーンを含む。
【発明の概要】
【０００５】
本発明の一態様においては、滑走ボードと一緒に使用するためのビンディングは、ライダーの足を支持するように構成されて、配置されているフットベッド、及び滑走ボードに固定され、フットベッド部分と係合するように構成配置されている基部を含む。本明細書においては、「足」という用語は、何もはいていない足、並びに靴下、靴、スニーカ、ブーツ等の履物をはいている足を意味する。基部は、ライダーのブーツが滑走ボードに固定された場合、フットベッドを含んでいない滑走ボードに直接接触することができるように、すなわち、従来の「ベースレス」ビンディングとして使用することができるように構成し、配置することができる。少なくとも１つの足係合部材は、基部に固定することができ、基部に対してライダーの足を固定するように構成し、配置することができる。例えば、１つ又は複数のビンディングストラップ、ステップインビンディング係合デバイス又は他の適切な装置を、基部にライダーのブーツを固定するために使用することができる。ハイバックを基部に固定し、ライダーの脚を支持するように構成し、配置することができる。フットベッドは、基部が滑走ボードに固定された場合に、縦方向の位置、踵−つま先方向の位置及び／又は角度位置を決定することができる調整インジケータを含むことができる。本発明のこの態様によれば、ビンディング基部から取り外すことができるフットベッドは、装着中、ライダーが、ボード上でビンディングを正確に位置決めするための助けになるインジケータ機能を提供することができる。
【０００６】
本発明の他の態様においては、滑走ボードと一緒に使用するためのビンディングは、ライダーの足を支持するように構成配置されていて、相互に（１つ又は複数の中間部材を介して直接又は間接に）取り付けられる踵部分及びつま先部分を有するフットベッドを含む。ビンディング基部は、滑走ボードに固定することができるように、またフットベッドと一緒に動作することができるように構成し、配置することができる。しかし、基部は、フットベッドを含んでいない滑走ボードに固定された場合に、ライダーの足が滑走ボードに直接接触することができるように構成し、配置することができる。少なくとも１つの足係合部材は、基部に固定することができ、基部に対してライダーの足を固定するように構成し、配置することができる。ハイバックは、基部に固定することができ、ライダーの脚部を支持するように構成し、配置することができる。フットベッドのつま先部分は、例えば、踵−つま先方向のような踵部分に対して正しい位置に調整することができ、フットベッドは基部から取り外すことができる。本発明のこの態様によれば、ビンディングは、（それにより従来の「ベースレス」ビンディングを提供する）着脱可能なフットベッドを含むことができ、使用した場合、フットベッドは、例えば、異なるブーツタイプ及び／又は異なるサイズの足を収容するために調整可能なつま先傾斜機能をライダーに提供することができる。本発明のこの態様は、必要に応じて、上記調整インジケータ機能と一緒に使用することができる。
【０００７】
本発明の他の態様においては、滑走ボードと一緒に使用するためのビンディングは、ライダーの足を支持するように構成配置されているフットベッド、及び滑走ボードに固定することができ、フットベッドと係合することができるように構成配置されている基部を含むことができる。本発明のこの態様においては、このフットベッドは、基部に永久に固定することもできるし（例えば、基部と一体に成形することにより）、又は基部をベースレスビンディングとして使用することができるように、基部から取り外すことができるようにすることもできる。少なくとも１つの足係合部材は、基部に固定することができ、基部に対してライダーの足を固定するように構成し、配置することができ、ハイバックを基部に固定し、ライダーの脚を支持するように構成し、配置することができる。ビンディングは、少なくとも踵−つま先方向及び角度方向に、滑走ボードに対して固定状態のままに維持されるように滑走ボードと係合することができるインジケータ要素を含むことができる。しかし、インジケータ要素は、フットベッド及び基部とは独立して移動することができ、それにより滑走ボードに対するフットベッド及び基部の踵−つま先方向の位置及び／又は角度位置を表示することができる。インジケータ要素は、ボードにビンディングを装着するために使用することができる任意の押さえディスクから離間しているものであってもよい。例えば、インジケータ要素は、フットベッドに取り付けられるが、ボードに対するフットベッドの位置を表示するために、フットベッドとは独立して移動することができる部材であってもよい。
【０００８】
本発明の他の態様においては、滑走ボードにスノーボードを装着するための方法は、フットベッドが滑走ボードに固定される場合に、ビンディングの縦方向の位置、踵−つま先方向の位置及び／又は角度位置を決定するための調整インジケータを含んでいる状態で、基部に着脱可能に装着されているフットベッドを有するスノーボードビンディングを提供するステップを含む。滑走ボードが提供され、基部が滑走ボードに固定される。スノーボードビンディングの位置は、調整インジケータにより決定することができる。
【０００９】
本発明の他の態様においては、スノーボードは、頂部補強層と、底部補強層と、頂部補強層と底部補強層との間に位置するコア（例えば、一緒に固定されている木材片から作られる）とを含む。ボードにビンディングを装着するためのチャネルは、コアの開口部内に固定することができ、従ってコアの一部は、チャネルの上にも下にも出ないで、そのため頂部補強層は、チャネルの上に位置し、底部補強層は、チャネルの下に位置する。一実施形態の場合には、チャネルは、「Ｃ」字形の断面を有する金属部材であってもよいし、ビンディングをスノーボードに装着するための締結具（例えば、Ｔ字形ナット）を収容するように構成し、配置することができる。
【００１０】
下記の説明及び特許請求の範囲を読めば、本発明のこれら及び他の態様を理解することができるだろう。
【００１１】
類似の参照番号が類似の要素を示す下記の図面を参照しながら、以下に本発明の種々の態様について説明する。
【図面の簡単な説明】
【００１２】
【図１】本発明によるビンディングの斜視図である。
【図２】図１のビンディングの分解図である。
【図３】ビンディング用のフットベッドの頂部分解図である。
【図４】ビンディング用のフットベッドの底部分解図である。
【図５】フットベッドの踵部分の分解図である。
【図６】フットベッドのインジケータ要素である。
【図７】ボードに装着されているビンディングである。
【図８】図７の８−８線に沿って切断した断面図である。
【図９】可能な調整方向を示すビンディングの平面図である。
【図１０】クッション又は他の支持要素を内蔵したフットベッドの他の実施形態である。
【図１１】クッション又は他の支持要素を内蔵したフットベッドの他の実施形態である。
【図１２】ビンディング用のハイバックの背面図である。
【発明を実施するための形態】
【００１３】
図面を参照しながら本発明の種々の態様について説明するが、これは本発明の種々の態様による例示としての実施形態を説明するためのものであることを理解されたい。本明細書で説明する例示としての実施形態は、必ずしも、本発明のすべての態様を示すものではなく、それどころかいくつかの例示としての実施形態を説明するためのものである。例えば、スノーボードと一緒に使用するスノーボードビンディングを参照しながら以下に本発明の種々の態様について説明するが、本発明の種々の態様は、任意の適切な滑走ボード及び対応するビンディングと一緒に使用することができる。それ故、本発明の種々の態様は、例示としての実施形態の見地から狭義に解釈すべきでない。さらに、本発明の種々の態様は、単独でも、又は本発明の他の態様との任意の適切な組合せとしても使用することができることを理解されたい。
【００１４】
すでに説明したように、本発明の１つの態様は、ビンディングが装着されるボードに対するビンディング（基部及び／又はフットベッド）の位置を表示するためのビンディングを含む調整インジケータの提供に関する。調整インジケータは、例えば、フットベッド内に形成された覗き窓のような１つ又は複数の部材、及び例えば、フットベッドに取り付けられ、窓からチェックすることができる平面部材のようなインジケータ要素を含むことができる。フットベッドに取り付けられているが、インジケータ要素は、フットベッド又は基部に対して移動することもできるし、例えば、要素をフットベッドのポケット内に装着することができ、ビンディングが装着されるボードの頂面に実質的に平行な平面内を移動することができる。インジケータ要素は、滑走ボードにビンディングを装着するために使用する押さえディスク（使用した場合）から離間しているものであってもよいし、ボードに対してビンディングが移動した場合でも、少なくとも踵−つま先方向及び角度方向に、滑走ボードに対して固定状態を維持するように滑走ボードと係合することもできる。インジケータ要素は、１つ又は複数の締結具、接着剤（永久の又はそうでない）、ボード内の対応するスロット又は孔部と係合するリブ又はタブ、ボード上のピン又は他の要素と係合するインジケータ要素内の孔部等のような任意の適切な方法でボードと係合することができる。それ故、フットベッド及び基部は、インジケータ要素から独立して、踵−つま先方向及び／又は角度方向に移動することができ、そのためインジケータ要素は、滑走ボードに対するフットベッド及び基部の踵−つま先方向の位置及び／又は角度位置を表示することができる。インジケータ要素は、また、例えば、ポインタ、マーク、又はボード上のマーク又は他の構成と位置合わせすることができ、ライダーが見ることができる他の構成のような、ボードに対するビンディングの縦方向の位置を表示することができる。
【００１５】
図１は、本発明の種々の態様を内蔵したスノーボードビンディング１の斜視図を示す。この例示としての実施形態は、対向する側壁部２１と、ライダーの踵の周囲を延び、側壁部２１の踵側の端部を接続する踵フープ２２とを備える基部２を含む。この実施形態の場合には、側壁部２１及びフープ２２は、単体（繊維補強プラスチックを使用して）として成形されるが、側壁部２１及び踵フープ２２は、別々に作って、後で一緒に取り付けることもできる。側壁部２１は、それぞれ、トゥストラップ及びアンクルストラップ３に対してストラップを装着するために使用するトゥストラップスロット２３及びアンクルストラップスロット２４を含む。もちろん、当業者であれば、スロット２３及び２４を使用しないで、ビンディングストラップ３の端部と係合するネジ又は他の締結具を収容する側壁部２１内に形成した孔部により、ビンディングストラップを側壁部２１に取り付けることができることを理解することができるだろう。さらに、２つのストラップ部材を一緒に係合するための典型的なラチェットバックル、ステップインタイプのビンディングを固定するために使用するブーツ係合部材、又は任意の他の装置を使用する任意の適切な数又はタイプのフットストラップのような任意の適切なタイプの係合部材３を、基部２に対してライダーの足を固定するために使用することができることを理解することができるだろう。
【００１６】
側壁部２１は、それぞれスノーボードのような滑走ボードに対して、基部２を固定するためのネジ又は他の締結具を収容するためのスロット２５を含む。スロット２５は、側壁部２１と一体に成形することができ、締結具を支持するために金属インサート又は他の補強材を有することができる。例えば、一実施形態の場合には、スロット２５は、各スロット２５を取り囲む鋼製ワッシャを含むことができる。この例示としての実施形態の場合には、基部２は、ネジ付き締結具及びＴ字形ナット装置１０２によりスノーボードに固定されているが、他の装置も使用することができる。例えば、本発明のいくつかの態様の場合には、基部２は、押さえディスク、標準ネジ又は任意の適切な装置によりボードに固定することができる。同様に、基部２は、例えば、スノーボードで使用する４Ｘ４、３Ｄ（Ｒ）又は他のネジ込みインサートパターンのような任意の適切な固定装置と協働するように配置することができる。この例示としての実施形態は、以下にさらに詳細に説明するように、ボード内のチャネルタイプのスロットと動作するように配置されている。
【００１７】
この例示としての実施形態のビンディング１は、また、側壁部２１内に形成されたスロット２６のところで側壁部２１に固定されるハイバック４を含む。ハイバック４は、簡単な孔部により側壁部２１に装着することができるが、スロット２６によりハイバック４は回転することもできるし、ライダーの下の脚部のほぼ全長に沿って延びる軸の周囲の角度範囲内の基部２に対して正しい位置に固定することもできる。ハイバック４は、任意の適切な方法で構成することができるが、この実施形態の場合には、ハイバック４を横切って形成されたスロット４４を有するように形成されている。そのため、ハイバックの上部４１は、一体成形ヒンジ部材４３により下部４２に取り付けられている。一体成形ヒンジ４３により、上部４１は、例えば、当業者であれば周知の前方の傾斜アジャスタ機構（図示せず）を操作することにより、下部４２に対して移動することができる。もちろん、ハイバック４は、スロット４４を備えていない中実部材として形成することもできるし、又はヒンジピン又は他の適切な装置により、上部４１を下部４２に接続することもできる。
【００１８】
本発明の一態様によれば、ビンディング１は、基部２に着脱可能に取り付けられるフットベッド５を含む。「着脱可能に取り付けられる」という表現は、１つ又は複数のネジ又は他の締結具を取り外すことにより、フットベッド５を基部２から取り外すことができること、又はツールを使用しないで取り外すことができることを意味する。このことは、ライダーの足の底を支持している部分が一体に成形されているか、又は他の方法で側壁部、踵フープ、及びビンディングの他の部分に永久に取り付けられている大部分のスノーボードのビンディングとは対照的である。それ故、１つの例示としての実施形態の場合には、例えば、ビンディングが磨耗した場合及び／又はビンディングの性能フィーチャを変えるために、フットベッド５を基部２から取り外すことができる。例えば、クッションをもっとよくするために、又は衝撃をもっと和らげるために、いくつかのフットベッド５を配置することができる。一方、他のフットベッド５をもっと硬く作って、ライダーに対する滑走面上のボードの感触を改善することもできる。それ故、１つの基部２と一緒に動作するために複数の異なるフットベッド５を作ることができる。（いくつかの実施形態の場合には、基部２は、フットベッド５を使用しないで、すなわち、ライダーの足の裏の少なくとも一部が、基部２が装着されているボードに直接接触している状態で使用することができる。）
【００１９】
図２は、この例示としての実施形態の基部２から取り外したフットベッド５を含むビンディング１の分解図を示す。本発明の他の態様によれば、フットベッド５は、例えば、異なるサイズの足及び／又はブーツの形状を収容するために、踵部分５２に対して、踵−つま先方向に取り付けられ、及び移動することができるつま先部分５１を含む。「つま先部分」及び「踵部分」だけを指摘したが、フットベッド５の各部分は、足の中央部分に近い部分のようなライダーの足の他の部分を支持することができる。さらに、フットベッド５は、中央部分、踵部分及びつま先部分のような３つ以上の部分を含むことができる。この場合、踵部分及びつま先部分は中央部分に対して移動することができる。この例示としての実施形態の場合には、踵部分５２は、基部２に対して固定されたままであり、側壁部２１の底に形成されているスロット内にスライドする直角のタブ又はラグ５３により基部２と係合する。基部２がボードに取り付けられた場合、タブ５３は側壁部２１のスロット内に捕捉され、踵部分５２を基部２に対して正しい位置に維持する。フットベッド５の横面から横方向に延び、側壁部２１内に形成されている横方向のスロットと係合するタブを含む踵部分５２（又は中央部分のようなフットベッド５の他の部分）と係合するために他の装置も使用することができる。このような装置を使用することにより、ボードから基部２を取り外さなくても、ビンディング１からフットベッド５を取り外すことができる。当業者であれば、フットベッド５と基部２の間のネジ、接着剤又は他の締結具装置のような他の装置を思い付くことができるだろう。フットベッド５は、ビンディング１を装着した場合に、基部２とボードとの間に捕捉されるウイング又はフランジを有することもできるし、フットベッド５は、踵−つま先方向及び他の方向に延びる側壁部２１の溝内にスライドする横方向に延びる部分を含むことができる。また、フットベッド５をボードに直接固定することもでき、必ずしも、基部２に固定する必要はない。
【００２０】
この実施形態の場合には、フットベッド５のつま先側端部は、ネジ（図示せず）、又は基部２のクロスバー２８の孔部２７を貫通し、つま先部分５１と係合する他の締結具により接続される。それ故、ラグ５３の他に、フットベッド５の一部を、クロスバー２８のところで、フットベッド５と係合する締結具により基部２に固定することができる。以下にさらに詳細に説明するように、フットベッド５とクロスバー２８の間の接続により、基部２からフットベッド５を切り離さなくても、つま先部分５１を踵−つま先方向に移動することができる。
【００２１】
本発明の他の態様においては、フットベッド５は、３つの調整インジケータを含んでいるが、もっと少ないか又はもっと多くのインジケータも使用することができるし、又は１つのインジケータで、複数のビンディング位置表示を行うこともできる。調整インジケータにより、ライダーは、ボードに対するビンディング１の位置、特に、ボード上の先端−尾部方向のビンディング１の縦方向の位置、踵−つま先方向の位置、及び／又は角度位置（例えば、ボードの頂面にほぼ垂直な垂直軸を中心としたビンディングの回転位置）を決定することができる。第１のインジケータ５４は、フットベッド５を貫通する窓を提供し、従ってライダーは、第１のインジケータ５４の下に位置するボードの一部を見ることができる。インジケータ５４は、ポインタ、矢印、又は例えば、ビンディングの横方向の中央点又は他の適切な位置に設置されている他の構成を含むことができる。ポインタ又は矢印は、ハッシュマーク、ライダーがつけたマーク、又はビンディングに対するボード上の所望の位置を示すボード上の他の構成のようなボード上の適切なマークと位置合わせすることができる。第２のインジケータ５５は、ボード上のビンディングの踵−つま先方向の位置を表示することができる。以下にさらに詳細に説明するように、フットベッド５の一部は、ボードと係合することができ、ビンディングが調整されている場合、踵−つま先方向に固定されたままになる。固定部分は、ハッシュマーク、又は例えば、ビンディングの踵−つま先方向の中央点、及び中央点の両側の複数の他のマークを示す他の構成を含むことができる。第３のインジケータ５６は、ボードに対するビンディング１の角度を表示することができる。この場合も、フットベッド５の一部は、ボードと係合することができ、ビンディングの角度の調整中は固定されたままになる。ボード上のビンディングの所望の角度位置を決定するための調整中、ライダーは、角度マーク又は他の適切な構成を見ることができる。本発明のこの態様によれば、ライダーは、一緒に設置されているビンディング上のインジケータを見ながら、縦方向の位置、踵−つま先方向の位置、及び角度位置を見て、設定することができる。この装置により、ライダーは、もっと容易にビンディングを調整することができる。
【００２２】
図３は、この例示としての実施形態のフットベッド５の分解平面図を示す。この図は、第１のインジケータ５４用の矢印又は他のインジケータ構造をよりはっきりと示す。また、インジケータ５４、５５及び５６は、拡大レンズ、又はビンディング１を位置合わせするために使用するマーク、矢印又は他の構成を拡大する他の要素を含むことができる。インジケータ５４、５５及び５６の覗き窓は、覗き窓の中央部又は他の部分の識別を容易にする基準ライン又は他の構成を含むことができる。一実施形態の場合には、基準ラインは、窓内に成形される。例えば、透明な窓材料の成形分離ライン又は類似の構成により形成される。この装置により、不透明マークを使用しなくても基準を容易に提供することができる。
【００２３】
図３を見れば分かるように、踵部分５２のつま先側端部は、相補隆起部分（図４の参照番号５１１参照）を収容し、つま先部分５１を踵部分５２と適正なアライメント状態に維持するのを助ける１対の溝５２１を含む。フットベッド５と係合するために基部２のクロスバー２８内の孔部２７を通って延びるネジ（図示せず）は、踵部分５２の孔部５２２を通って延び、つま先部分５１の頂部内のスロット５１３内に位置するＴ字形ナット５１２内に延びる。従って、Ｔ字形ナット５１２と係合しているネジにより、ネジが締め付けられない限り、つま先部分５１を踵−つま先方向に調整することができる。つま先部分５１が必要に応じて位置決めされると、つま先部分５１の下側のタブ５１４を踵部分５２の孔部５２３と係合することにより、つま先部分５１を正しい位置にロックすることができる。それ故、この実施形態の場合には、Ｔ字形ナット５１２と係合しているネジは、つま先部分５１を正しい位置にロックするのには使用しないが、ネジ及びＴ字形ナット５１２を他の実施形態のつま先部分５１を固定するのに使用することができる。図３に示すように、カバー部材５１５を、スロット５１３内にＴ字形ナット５１２を捕捉するためにつま先部分５１上に固定することができる。カバー部材５１５は、ライダーの足のためのグリップを強化するのを助けるために、発泡材又は他の材料から作ることもできるし、そうでない場合には含むこともできる。また、例えば、ライダーのグリップを改善するために、フットベッド５の外観を変えるために又はその他の目的のために、カバー部材又は類似の装置を踵部分５２に設置することもできる。
【００２４】
図４は、フットベッド５の底部の分解図を示す。この図面は、踵−つま先方向で４つの別個の位置間で、踵部分５２に対してつま先部分５１を固定することができるタブ５１４及び対応する孔部５２３をもっとはっきり示す。もちろん、もっと少ないか又はもっと多くの別個の調整位置を有することもできるし、又は踵−つま先方向の別個の位置決めを全然使用しないこともできる。この図は、また、踵部分５２の孔部５２２近くの隆起部分も示す。これらの隆起部分は、基部２のクロスバー２８の孔部２７近くの相補凹部と係合し、基部２に対してフットベッド５を適切に位置決めするのを助けることができる。
【００２５】
図４の底面図は、フットベッド５の底部プレート５２４の開口部５２５を通って延びるインジケータ要素６のリブ６１を示す。リブ６１は、ビンディング１が装着された場合、ボード内の対応するスロットの側面と係合することができ、それ故、基部２が正しい位置に調整された場合に、踵−つま先方向及び角度方向でボードに対して固定状態に維持することができる。しかし、この実施形態の場合には、リブ６１は、ビンディングの縦方向の調整を行うことができるように、ボードに沿ってインジケータ要素６（及びビンディング１）の縦方向（先端−尾部方向）の運動ができるように配置されている。図５は、底部プレート５２４を取り外した場合の、フットベッド５の底面図を示す。底面プレート５２４は、凹部内にインジケータ要素６を捕捉するために踵部分５２の凹部内に嵌る。底部プレート５２４により凹部内に収容されても、インジケータ要素６は、ビンディングが装着されるボードの頂面にほぼ平行な面の凹部内で自由に移動することができる。フットベッド５に対するインジケータ要素６のこの運動のおかげで、インジケータ要素６は、ボードに対するビンディング１の位置を表示することができる。開口部５２５のサイズ及び形状、及び踵部分５２の凹部のサイズ及び形状により、必要に応じてインジケータ要素６の運動が制限される。
【００２６】
図６は、この例示としての実施形態のインジケータ要素６の平面図を示す。第１のインジケータ５４用の窓及び矢印ポインタ６２は、インジケータ要素６の平板の孔部により形成される。ハッシュマーク６３は、インジケータ要素６上に形成され、第２のインジケータ５５と協働するように配置される。最も広いハッシュマークは、踵−つま先方向のビンディング１の中央の位置を示すことができ、前後のマークは、中央点からの他の踵側及びつま先側の位置を示す。角度表示マーク６４は、第３のインジケータ５６と動作するように配置されている。角度表示マーク６４（及び他のマーク）は、図の番号がついているマークのような任意の適切な形のものであってもよいし、ハッシュマーク又は任意の他のマーク配置を使用することもできる。
【００２７】
調整インジケータに関連する本発明の種々の態様は、着脱可能なフットベッドを有するビンディングに限定されない。例えば、上記実施形態に記載のフットベッド５は、基部（例えば、接着剤により、ネジにより、少なくとも一部を一体に成形すること等により）に永久に固定することができる。別の方法としては、他の実施形態の場合には、上記インジケータ類似のインジケータ要素を、標準トレイタイプ又は固定ベースプレートを含む他のビンディングに組み込むことができる。このような実施形態の場合には、インジケータ要素は、ベースプレートの水平方向のスロット内で移動することができるプレート、すなわち、インジケータ要素が上記フットベッドの凹部内で移動することができるのとほぼ同じ方法でライダーの足の裏を支持している部分を含むことができる。しかし、この実施形態の場合には、インジケータ要素は、ボードにビンディングを固定するための締結具を収容するための１つ又は複数の孔部を含むことができる。例えば、孔部は、スノーボードの４Ｘ４又は３Ｄパターンのようなインサートパターンと突き合わせることができる。それ故、インジケータ要素は、比較的緩い状態で締結具を含むボードと最初に係合することができ、従ってビンディングの基部は、インジケータ要素に対してボード上を移動することができる。基部が必要に応じて位置決めされると（インジケータ窓をフットベッドに対向するベースプレート内に形成することができることを除けば、ビンディングの位置を上記フットベッド実施形態の場合と同じ方法で決定することができ）、例えば、いくつかの押さえディスクと類似の方法で、インジケータ要素が基部をボード上にクランプするように、締結具を締め付けることができる。
【００２８】
他の例示としての実施形態の場合には、例えば、インジケータ要素６のようなスティッカー形状のインジケータ要素をボードに固定し、ビンディングがインジケータ要素上に配置されるように位置させることができる。着脱可能な又は固定フットベッドを有することができるビンディングは、ボードに対するビンディングの位置を決定するために、インジケータ要素の一部を見ることができる窓又は他のインジケータ構造を含むことができる。
【００２９】
図７は、スロットタイプの装着装置を有するボード１０上に装着されている実施形態のビンディング１を示す。ビンディング１はボード１０上に位置していて、そのためインジケータ要素６上のリブ６１は、ボード１０のスロット１０１内に嵌る。締結具は、側壁部２１の対向側面上のスロット２５を通して延び、スロット１０１内に位置するＴ字形ナットと係合する。図８は、図７の８−８線に沿って切断した断面を示し、ボード１０のスロット１０１内に位置するＴ字形ナット１０２を示す。スロット１０１は、ほぼ矩形の断面を有するアルミニウムチャネル１０３で形成される。アルミニウムチャネル１０３は、頂部補強層１０５及び底部補強層１０６間のボード１０内に位置する。この実施形態の場合には、コア１０４は、チャネル１０３の上下を延びないで、頂部シート（例えば、装飾層）を含む頂部補強層１０５、及び基部層を含む底部補強層１０６が、チャネル１０３上を延びる。従って、ボード内でチャネル１０３を固定するためにネジ又は他の締結具を必要としないで、代わりにチャネル１０３を、関連する樹脂と一緒に、頂部及び底部補強層１０５及び１０６により正しい位置に保持することができる。この例示としての実施形態の場合には、Ｔ字形ナット１０２は、スロット１０１を通して上方に延び、ビンディング１のスロット２５内に延びるネジ付スタッドを有する。適切なネジ付スリーブ又はナットは、ビンディング１を正しい位置に固定するためにスタッドと係合することができる。Ｔ字形ナット１０２は、また、Ｔ字形ナット１０２を正しい位置により良好に固定することができるようにスロット１０１内に延びる頂部リブを有する。もちろん、他の装置も使用することができる。例えば、ネジボルトは、スロット２５を通して下方にＴ字形ナット１０２のネジ孔内に延びることができる。この実施形態の場合には、チャネル１０３は、アルミニウムでできているが、任意の他の適切な金属、プラスチック、又は他の材料又は材料の組合せから作ることもできる。この実施形態のコア１０４は、木材の積層ストリップから形成されているが、例えば、発泡材又は任意の他の材料又は材料の組合せによって任意の他の適切な方法で形成することもできる。補強層１０５及び１０６は、ガラス繊維織物のような樹脂含浸繊維から形成されるが、他の適切な補強層も使用することができる。
【００３０】
スロット１０１装着装置の場合には、ビンディング１を、スロット１０１の長さによってだけ制限を受ける潜在的に広い範囲の位置を通してボード上で縦方向に調整することができる。マークは、スロット１０１近くのボード上に表示することができ、ビンディング１の縦方向の位置を確認するために、第１のインジケータ窓５４を通して見ることができる。例えば、図９に示すように、スロット１０１及びスロット２５による自由度により、ビンディング１を踵−つま先方向及び／又は角度で縦方向に調整することができる。すなわち、ビンディング１が、スロット１０１に対して踵−つま先方向及び／又は角度で移動しても、インジケータ要素６はスロット１０１に対して固定状態に維持される。それ故、ライダーは、インジケータ５５及び５６によりビンディングの相対的踵−つま先方向の位置及び／又は角度位置を見ることができる。ライダーは１つの場所で３つのインジケータ５４、５５及び５６すべてを見ることができるので、ビンディングを容易に正確に装着することができる。
【００３１】
ボード１０とのインジケータ要素６の係合は、リブ６１をスロット１０１の側面に接触させる以外の方法でも行うことができる。例えば、Ｔ字形ナット又は類似の要素を、チャネル１０３内に設置することができ、スロット１０１を通してボードの頂面上を上方に延びる部材を有することができる。この部材は、インジケータ要素６上の嵌合構造と係合するためのサイズ、形状又は他の構成を有することができる。１つの例示としての実施形態の場合には、この部材は、インジケータ要素６内の対応する星形の孔部と係合する星形のような特殊な形状を有することができる。この装置を使用することにより、例えば、インジケータ要素のための対応する嵌合構造を有していないボード上でフットベッドを使用することができるようにするために、フットベッド５の底面の下を下方に垂れ下がる部材を含まないようにフットベッド５を作ることができる。さらに、この装置を使用すれば、インジケータ要素６の適当な嵌合構造を有する適正なビンディングだけを、特定のボードと一緒に確実に使用することができる。例えば、特定のビンディングを使用しなければならないボードは、６つの辺を有する星形のインジケータ要素嵌合部材を含むことができる。それ故、６つの辺を有する星形の孔部を含むビンディングだけをボードと適正に嵌合させることができる。異なるビンディングタイプを使用しなければならないボードは、異なる形状のインジケータ要素嵌合部材を有することができる。
【００３２】
本発明の一態様においては、１つのタイプの基部２と一緒に動作するために、種々の異なるタイプのフットベッド５を配置することができる。フットベッド５は、異なるサイズ、形状、高さ、インジケータ構造等のような種々の異なる特性を有することができる。図１０及び図１１は、フットベッド５の２つの別々の実施形態を示す。すでに説明したように、フットベッド５は、任意の適切なクッション又は他の足支持要素を含むことができる。この例示としての実施形態の場合には、フットベッド５は、「ピラー」タイプ及びある種のランニングシューズで使用しているものと類似の他の支持要素を含む。フットベッド５の踵部分５２は、ナイロンのような実質的に非可撓性材料からできている上下プレート５７及び５８と一緒に作ることができる。上下プレート５７及び５８間には、クッション又は任意の形の他の支持要素５９を設置することができる。この例示としての実施形態の場合には、クッション要素５９は、クッション要素５９を通って横方向に延びる貫通孔５９１を含む。ライダーの足のために所望の硬さ、弾性又は他の特徴を持たせるために、クッション要素５９の他の部分の形状、材料及び／又は他の構成を配置することができる。さらに、例えば、踵の付近でもっと硬く支持し、ミッドソール近くの弾性をもっと強くするために、クッション要素５９の支持構造をフットベッド５内で変えることができる。当業者であれば理解することができると思うが、例えば、貫通孔５９１から挿入し、取り外すことができる着脱可能な要素を使用することにより、ライダーが硬度又は他の支持特性を変えることができるように、クッション要素５９を作ることができる。フットベッド５は、また、例えば、フットベッド５の踵の高さを高くするためにクッション要素５９又は他の要素をライダーが挿入することができるように、１つ又は複数の位置でフットベッドの高さをライダーが調整することができるように作ることができる。フットベッド５は、また、ライダーのブーツとインターロックするように作ることができる。例えば、グリップを改善するために上のプレート５７上にネオプレンシートを設置することもできるし、及び／又は上のプレート５７上に設置した適切な材料を、ブーツのトレッドパターンと適合するように成形することもできる。それ故、フットベッド５は、特定のブーツ又は一組のブーツと一緒に動作するように特に設計することができ、異なるフットベッドを同じ基部２と締結する方法により、広い範囲の異なるフットベッドを各基部スタイル又は設計用に提供することができる。
【００３３】
本発明の一態様によれば、すでに説明したように、ハイバック４は、一体成形ヒンジ部分４３のところで一緒に接続される上部４１及び下部４２を含む。例えば、ハイバック４は、一体成形ヒンジ部分４３のところだけで上部４１及び下部４２が接続している状態で、ハイバック４の周囲を延びるスロット４４を含む１つの単一の部材として成形することができる。上部４１は、例えば、ハイバック４の前方への傾斜を調整するために、下部４２に対する位置で調整することができる。この実施形態の場合には、また図１２のハイバック４の背面図に示すように、前方への傾斜調整部材４５は、上部及び下部４１及び４２間に距離をおくように、またライダーが上部４１の前方への傾斜を選択的に調整することができるように設置することができる。前方への傾斜調整部材４５は任意の適切な形をとることができ、この実施形態の場合には、下部４２の回転のために装着されるネジ棒４５１を含む。ハンドル４５２は、ユーザがツールを使用しなくても回転させることができるように、ネジ棒４５１に固定される。ナット４５３は、上部４１に対して固定することができ、ネジ棒と係合し、従ってネジ棒４５１が回転すると、上部４１は、下部４２に対して前後に傾斜することができる。下部４２は、また、ある点を越えてのハイバック４の後方への移動を抑えるために踵フープ２２と接触する棚４２１を含むことができる。下部４２は、また、上方位置にハイバック４を解放可能にロックするために、踵フープ２（例えば、踵フープの内面の溝２２１のところ：図２参照）と係合するためのタブ４２２又は他の構成を含むことができる。しかし、ユーザは、スロットマウント２６の周囲の折り曲げ位置にハイバック４を回転することにより、踵フープ２２からハイバック４を解放することができる。
【００３４】
本発明の少なくとも１つの実施形態のいくつかの態様について説明してきたが、当業者であれば種々の変更、修正及び改善を容易に思い付くことができることを理解されたい。このような変更、修正及び改善は、この開示の一部であって、本発明の精神及び範囲内に含まれる。従って、上記説明及び図面は単に例示としてのものに過ぎない。
【図１】
2009542350.tif 000003
【図２】
2009542350.tif 000004
【図３】
2009542350.tif 000005
【図４】
2009542350.tif 000006
【図５】
2009542350.tif 000007
【図６】
2009542350.tif 000008
【図７】
2009542350.tif 000009
【図８】
2009542350.tif 000010
【図９】
2009542350.tif 000011
【図１０】
2009542350.tif 000012
【図１１】
2009542350.tif 000013
【図１２】
2009542350.tif 000014
【国際調査報告】
2009542350.tif 000015
2009542350.tif 000016
2009542350.tif 000017
2009542350.tif 000018
2009542350.tif 000019